(57)【要約】      （修正有）【課題】省力でありかつ使用時に静かである省力ホッチキスを提供する。【解決手段】ホッチキス１は、基体、アンビル、一対のフレームとフレームを通る上部ピン、針マガジン、基体と針マガジンとの間にある第１可撓性部、打撃部３３を有する打撃レバー３０、針マガジンと打撃レバーとの間にある第２可撓性部、押圧レバー、レバーフレームを通るローラーピン、ローラーピンを覆うローラー、および、ハンドカバー５０を備えている。【選択図】図１
0003199709.tif 000002
【実用新案登録請求の範囲】
【請求項１】
基体、
前記基体の正面端部に形成されるアンビル、
前記基体の後方端部に形成され、かつ、それぞれが側部穴および上部穴を有する一対のフレーム、
前記一対のフレーム上の前記側部穴を通る側部ピン、
前記一対のフレーム上の前記上部穴を通る上部ピン、
前記基体が堅く固定される基体カバー、
前記側部ピンに回転可能に固定されるマガジン側部と、マガジン正面部とを有する針マガジン、
前記基体と前記針マガジンとの間にある第１可撓性部、
前記側部ピンに回転可能に固定される打撃側部と、打撃部を有する打撃正面部とを有する打撃レバー、
前記針マガジンと前記打撃レバーとの間にある第２可撓性部、
レバー正面部と、一対のレバー穴が規定されかつ前記上部ピンを覆うレバー側部と、それぞれがレバーフレーム穴を有するレバーフレームとを有する押圧レバー、
前記一対のレバーフレーム内において前記レバーフレーム穴を通るローラーピン、
前記ローラーピンを覆いかつ前記打撃レバーに接触するローラー、および、
前記押圧レバーに固定されるハンドカバー、を備えている省力ホッチキス。
【考案の詳細な説明】
【技術分野】
【０００１】
本考案は、文具のホッチキスに関し、とりわけ、省力でありかつ使用時に静かなホッチキスに関する。
【背景技術】
【０００２】
ホッチキスは広く用いられる文具である。ホッチキスは一束の紙を留めるために用いられる。従来の省力ホッチキスは、テーブルなどの平面上に配置され得る基体、基体の正面端部に形成されるアンビル、基体の側面端部に形成される一対のフレーム、一対のフレームの側部を通る側部ピン、一対のフレームの上部を通る上部ピン、側部ピンに回転可能に接続されるマガジン側部とホッチキス針を含むマガジン正面部とを有する針マガジン、同じく側部ピンに回転可能に接続される打撃側部と針マガジンから針を押し出すための打撃正面部とを有する打撃レバー、上部ピンまたは打撃レバーのいずれかに回転可能に接続されるレバー側部とユーザの手によって押し下げることができるレバー正面部とを有する押圧レバー、および、打撃レバーと押圧レバーとの間に配置され、ハンドレバーを押し下げるユーザの労力を節約するための梃子を備えている。
【０００３】
しかし、そのようなホッチキスにはいくつかの欠点がある。梃子と打撃レバーとの間にある接触表面は、常に、梃子に固定されるスライドピンである。ユーザが押圧レバーを押し下げると、スライドピンは打撃レバーに沿って動く。梃子の効果のため、スライドピンと打撃レバーとの間の圧力は、通常、ユーザがハンドレバーに与える力の数倍である。高い圧力は、常に、巨大なひずみをスライドピンと打撃レバーとの間に与える。このひずみによって、ユーザの労力の効率性が顕著に下がり、そして大きな引っ掻き音が常に生じる。
【考案の概要】
【考案が解決しようとする課題】
【０００４】
本考案の主な目的は、高い労力効率を有する省力ホッチキスを提供することである。
【０００５】
本考案のもう一つの目的は、使用時に静かな省力ホッチキスを提供することである。
【課題を解決するための手段】
【０００６】
前記の目的を達成するために、本考案は、基体、前記基体の正面端部に形成されるアンビル、前記基体の後方端部に形成され、かつ、それぞれが側部穴および上部穴を有する一対のフレームと前記一対のフレーム上の前記側部穴を通る側部ピン、前記一対のフレーム上の前記上部穴を通る上部ピン、前記基体が堅く固定される基体カバー、前記側部ピンに回転可能に固定されるマガジン側部と、マガジン正面部とを有する針マガジン、前記基体と前記針マガジンとの間にある第１可撓性部、前記側部ピンに回転可能に固定される打撃側部と打撃部を有する打撃正面部とを有する打撃レバー、前記針マガジンと前記打撃レバーとの間にある第２可撓性部、レバー正面部と、一対のレバー穴が規定されかつ前記上部ピンを覆うレバー側部と、それぞれがレバーフレーム穴を有するレバーフレームとを有する押圧レバー、前記一対のレバーフレーム内において前記レバーフレーム穴を通るローラーピン、前記ローラーピンを覆いかつ前記打撃レバーに接触するローラー、および、前記押圧レバーに固定されるハンドカバーを備えている省力ホッチキスを提供する。
【考案の効果】
【０００７】
前記省力ホッチキスは高い労力効率を有し、そして同時に、打撃レバー上で回転するローラーは、使用時のノイズを顕著に低減し、従来のスライド式梃子よりも労力の節約効率をさらに増加させる。
【図面の簡単な説明】
【０００８】
【図１】本考案の省力ホッチキスの好ましい実施形態の模式的な透視図である。
【図２】図１に示す省力ホッチキスの分解透視図である。
【図３】図１に示す省力ホッチキスの部分的な分解透視図である。
【図４】図１に示す省力ホッチキスの部分的な側面図である。
【考案を実施するための形態】
【０００９】
〔ベストモード〕
図１、２、３、および４を参照して、本考案の省力ホッチキス１を示す。省力ホッチキス１は、基体１０、基体１０の正面端部に形成されるアンビル１１、基体１０の後方端部に形成され、かつ、それぞれが側部穴１３および上部穴１４を有する一対のフレーム１２、一対のフレーム１２上の側部穴１３を通る側部ピン１５、一対のフレーム１２上の上部穴１４を通る上部ピン１６、基体１０が堅く固定される基体カバー１７、側部ピン１５に回転可能に固定されるマガジン側部２１と、針（図示せず）を含むマガジン正面部２２とを有する針マガジン２０、基体１０と針マガジン２０との間にある第１可撓性部２３、側部ピン１５に回転可能に固定される打撃側部３１と、一つの針を針マガジン２０から押し出すための打撃部３３を有する打撃正面部３２とを有する打撃レバー３０、針マガジン２０と打撃レバー３０との間にある第２可撓性部３４、レバー正面部４１と、一対のレバー穴４３が規定されかつ上部ピン１６を覆うレバー側部４２と、それぞれがレバーフレーム穴４５を有するレバーフレーム４４とを有する押圧レバー４０、一対のレバーフレーム４４内においてレバーフレーム穴４５を通るローラーピン４６、ローラーピン４６を覆いかつ打撃レバー３０に接触するローラー４７、および、押圧レバー４０に固定されるハンドカバー５０を有する。
【００１０】
本考案の省力ホッチキス１は、使用時に、図１および２に示すように、第１可撓性部２３および第２可撓性部２４が完全に開いた予備状態にある。ユーザは、ホッチキス留めされる必要がある一束の紙を、マガジン正面部２２とアンビル１１との間に配置し、それから第１可撓性部２３および第２可撓性部２４に向かってハンドカバー５０を押し下げることができる。押圧レバー４０は上部ピン１６の周囲を回転し、それによってローラー４７が下向きに移動する。ローラー４７が下向きに回転すると、ローラー４７はローラーピン４６の周囲を回転し、ホッチキス留めのために打撃レバー３０上を下向きに動く。ホッチキス留めの後、ユーザは、ハンドカバー５０を開放することができ、第１可撓性部２３および第２可撓性部２４はそれぞれ針マガジン２０を押し上げ、そして押圧レバー３０が予備状態に戻る。ローラー４７は回転止め動作をし、打撃レバー３０のところまで戻る。特に図２に示すように、ユーザの手の感触をより良くするために、ゴムパッド５１がハンドカバー５０上に配置され得る。図４に示すように、手による押下力ａ１は、通常、ローラー４７の反作用力ａ２の１０倍であり、ホッチキス留め抵抗ａ３は、通常、ローラー４７の押圧力ａ４の３倍である。したがって省力ホッチキスの梃子効果は約１０／３倍であり得る。ローラー４７は、打撃レバー３０をスライドする代わりに打撃レバー３０上を回転する。したがって本考案は、使用時に、より静かである。上記の記述から、省力ホッチキスは高い労力効率を有し、そして同時に、打撃レバー３０上で回転するローラー４７は、使用時のノイズを顕著に低減し、さらに、従来のスライド式梃子よりも労力の節約効率をさらに増加させることが分かる。
【図１】
0003199709.tif 000003
【図２】
0003199709.tif 000004
【図３】
0003199709.tif 000005
【図４】
0003199709.tif 000006